(57)【要約】【課題】大きな力のモーメントを利用して、簡単にペットボトルのキャップを開けることを可能にするペットボトルのキャップ開け器を提供する。【解決手段】本体を設け、本体内には嵌合部材を枢着し、嵌合部材内には刳り貫き部を設け、本体と嵌合部材の表面には係合部材を設け、係合部材の底面の二つの箇所は本体と嵌合部材に枢着し、係合部材の一側端面には係合リブを設け、係合リブの一側は延伸して係止部を形成し、係合リブと係止部は刳り貫き部内に配置する。この構造により、使用者が嵌合部材をキャップ外縁に嵌合し本体を掴むことで、本体とキャップの間に大きな力のモーメントが働き、ペットボトルのキャップを簡単に開けることができる。【選択図】図１
0003159603.tif 000002
【実用新案登録請求の範囲】
【請求項１】
本体を設け、本体内に嵌合部材を枢着し、嵌合部材内に刳り貫き部を設け、本体と嵌合部材の表面に係合部材を設けてなるペットボトルのキャップ開け器において、
前記本体の表面における嵌合部材の周縁付近の箇所には少なくとも一つの第一枢着孔を設け、嵌合部材の表面には第一枢着孔に対応する第二枢着孔を設け、前記係合部材の底面の二つの箇所はそれぞれ延伸して、第一枢着孔と第二枢着孔に枢着される枢着柱を形成し、係合部材の一側端面には係合リブを設け、係合リブの一側は延伸して係止部を形成し、係合リブと係止部は刳り貫き部内に配置されることを特徴とするペットボトルのキャップ開け器。
【請求項２】
前記本体には弾性部材を固定して設け、弾性部材の一端は前記嵌合部材に接続することを特徴とする、請求項１に記載のペットボトルのキャップ開け器。
【請求項３】
前記ペットボトルのキャップ開け器には上蓋を設け、上蓋は、固定部材を用いて前記本体、前記嵌合部材、及び前記係合部材の表面を覆うように取り付けることを特徴とする、請求項１に記載のペットボトルのキャップ開け器。
【請求項４】
前記本体の底面には拡大鏡を設け、拡大鏡は前記嵌合部材の刳り貫き部に正対させることを特徴とする、請求項１に記載のペットボトルのキャップ開け器。
【請求項５】
前記ペットボトルのキャップ開け器には上蓋を設け、上蓋は、固定部材を用いて前記本体、前記嵌合部材、及び前記係合部材の表面を覆うように取り付け、前記本体の一側には、上蓋の表面を覆うための第一側蓋と、前記本体の底面を覆うための第二側蓋とを枢着することを特徴とする、請求項１に記載のペットボトルのキャップ開け器。
【請求項６】
前記第一側蓋の内側の表面には小物収納ケースを設け、前記第二側蓋の内側の表面には鏡を設けることを特徴とする、請求項５に記載のペットボトルのキャップ開け器。
【考案の詳細な説明】
【技術分野】
【０００１】
本考案はペットボトルのキャップ開け器に関し、特に、ペットボトルのキャップを簡単に開けることができるキャップ開け器に関する。
【背景技術】
【０００２】
ペットボトルは、人類が生活する上で欠かすことができない商品となっている。ペットボトルは、携帯に便利である、割れにくい、液体が外に漏れにくい等の長所をもつため、運動や野外活動の際に携帯されることが多く、いつでも人体に必要な水分を補うことができる。しかしながら、ペットボトルのキャップは回転させて開ける必要があり、使用者が老人や子供の場合、キャップを回転させる力に限りがあるため、使用者がキャップを開けられないといった事態がたびたび生じる。
【考案の概要】
【考案が解決しようとする課題】
【０００３】
本考案は、本体に働く大きな力のモーメントを利用して、使用者が簡単にペットボトルのキャップを開けることができる、ペットボトルのキャップ開け器を提供することを目的とする。
【課題を解決するための手段】
【０００４】
上述の目的を達するために、本考案によるペットボトルのキャップ開け器は本体を有し、本体内に嵌合部材を枢着し、嵌合部材内に刳り貫き部を設け、本体と嵌合部材の表面に係合部材を設け、係合部材の底面の二つの箇所を本体と嵌合部材に枢着し、係合部材の一側端面には係合リブを設け、係合リブの一側は延伸して係止部を形成し、係合リブと係止部は刳り貫き部内に配置する。
【図面の簡単な説明】
【０００５】
【図１】本考案の外観を示した斜視図である。
【図２】本考案の第一側蓋と第二側蓋を開けた時の外観を示した斜視図である。
【図３】本考案の第一側蓋と第二側蓋を開けた時の外観を別の角度から示した斜視図である。
【図４】本考案の構成部材の一部の外観を示した斜視図である。
【図５】本考案の分解斜視図である。
【図６】本考案を使用した際の動作を示した一つ目の説明図である。
【図７】本考案を使用した際の動作を示した二つ目の説明図である。
【図８】図７のＡ部分の拡大図である。
【考案を実施するための形態】
【０００６】
図１から図５に示すように、本考案は、本体１と、嵌合部材２と、係合部材３と、上蓋４と、第一側蓋５と、第二側蓋６とによって構成する。
【０００７】
嵌合部材２は刳り貫き部２１を具えるとともに、嵌合部材２は本体１内に枢着する。本体１表面における嵌合部材２の周縁付近の箇所には少なくとも一つの第一枢着孔１１を設け、嵌合部材２の表面には第一枢着孔１１に対応する第二枢着孔２２を設ける。また、本体１には弾性部材１２を固定して設け、弾性部材１２の一端は嵌合部材２に接続し、本体１の底面には拡大鏡１３を設け、拡大鏡１３は嵌合部材２の刳り貫き部２１に正対させる。
【０００８】
係合部材３の底面の二つの箇所はそれぞれ延伸して枢着柱３１を形成し、各枢着柱３１はそれぞれ第一枢着孔１１と第二枢着孔２２に枢着させる。また、係合部材３の一側端面には係合リブ３２を設け、係合リブ３２の一側は延伸して係止部３３を形成し、係合リブ３２と係止部３３は刳り貫き部２１付近に配置する。
【０００９】
上蓋４は、固定部材４１を用いて、本体１、嵌合部材２、及び係合部材３の表面を覆うように取り付ける。
【００１０】
第一側蓋５と第二側蓋６の一側は本体１に枢着する。第一側蓋５は上蓋４の表面を覆うことができ、第一側蓋５内側の表面には小物収納ケース５１を設ける。また、第二側蓋６は本体１の底面を覆うことができ、第二側蓋６内側の表面には鏡６１を設ける。
【００１１】
図５から図８に示すように、本考案を使用する前、嵌合部材２は外部の力の影響を受けていないため、弾性部材１２は嵌合部材２及び本体１と一定の角度を形成しており、係合部材３底面の枢着柱３１はそれぞれ第一枢着孔１１と第二枢着孔２２に枢着されているため、係合部材３がなす傾斜角は大きい状態であり、係合リブ３２は刳り貫き部２１内に僅かに露出しており、係止部３３は刳り貫き部２１の外に位置している。以上の状態で、使用者が本体１を掴み、キャップ７外縁が刳り貫き部２１内に位置するように嵌合部材２をキャップ７の外縁に嵌合させ、係合リブ３２とキャップ７外縁の滑り止めリブ７１を接触させ、さらに本体１を回転させると、係合リブ３２と滑り止めリブ７１が接触して摩擦力が生じる。このため、本体１が回転する際、第二枢着孔２２に位置する枢着柱３１は支点を形成し、係合部材３は第一枢着孔１１に枢着された枢着柱３１により連動して回転する。この時、嵌合部材２はそれにつれて回転しないため、係合部材３の傾斜角は次第に小さくなり、係合リブ３２は更に刳り貫き部２１内に進入するとともに、係合リブ３２と滑り止めリブ７１が形成する摩擦力はさらに大きくなり、また、係止部３３も次第に刳り貫き部２１内に進入し、係止部３３が滑り止めリブ７１表面に当接した時、係止部３３の回転はキャップ７に止められ、係合部材３はそれ以上回転できなくなり、本体１の回転力により係合リブ３２はキャップ７を回転させ、それにより、キャップ７は回転しペットボトルから取り外される。
【００１２】
また、本体１の回転により、本体１と嵌合部材２の角度が変化する時、弾性部材１２にも弾性変形が生じる。弾性部材１２は元の位置に戻る能力を具えているため、使用者がペットボトルのキャップ７を開け、キャップ７を刳り貫き部２１から取り出すと、係合部材３はキャップ７との摩擦力がなくなり、弾性部材１２の弾性による元の位置に戻る力で本体１と嵌合部材２は回転され、それにより、本体１と嵌合部材２は、係合部材３がなす傾斜角が大きい状態に戻る。
【００１３】
本考案でペットボトルのキャップ７を回転させる時、本体１内の嵌合部材２がキャップ７に嵌合されているため、本体１とキャップ７の間には大きな力のモーメントが働き、使用者は簡単にペットボトルのキャップ７を開けることができる。
【００１４】
また、ペットボトルのキャップ７がきつく閉まりすぎていて、本体１を掴んでも回転させることができない時、使用者は、本体１と同時に第一側蓋５と第二側蓋６も掴むことで、更に大きな力のモーメントが働き、少ない力でキャップ７を開けることができる。
【００１５】
また、図２と図３に示すように、使用者は、刳り貫き部２１から本体１の底部に設けられた拡大鏡１３を見ることができるとともに、拡大鏡１３によってペットボトルに印刷された文字をはっきり見ることができる。また、小物（例えば、薬の錠剤など）を小物収納ケース５１内に収納することができるため、持ち運びに便利であり、薬を服用する際、ペットボトル内の飲料水を飲むことができる。さらに、第二側蓋６に設けた鏡６１によって、使用者は身だしなみのチェックを行うことができる。
【符号の説明】
【００１６】
１    本体
１１  第一枢着孔
１２  弾性部材
１３  拡大鏡
２    嵌合部材
２１  刳り貫き部
２２  第二枢着孔
３    係合部材
３１  枢着柱
３２  係合リブ
３３  係止部
４    上蓋
４１  固定部材
５    第一側蓋
５１  小物収納ケース
６    第二側蓋
６１  鏡
７    キャップ  
７１  滑り止めリブ
【図１】
0003159603.tif 000003
【図２】
0003159603.tif 000004
【図３】
0003159603.tif 000005
【図４】
0003159603.tif 000006
【図５】
0003159603.tif 000007
【図６】
0003159603.tif 000008
【図７】
0003159603.tif 000009
【図８】
0003159603.tif 000010